(57)【要約】【課題】仕切られた区画間における音漏れを確実に防止できるようにした間仕切パネルを提供すること。【解決手段】天井面Ｒに配設されたレール４に沿って走行可能に吊支され、所定の厚みを有するパネル材５１を表裏に備えたパネル本体５の上下端部にパネル材５１によって囲われたチャンネル部１９，２０が設けられ、チャンネル部１９，２０内に進退機構２８により天井面Ｒ及び床面Ｆに向けて延出可能な閉塞部材６，７がそれぞれ収納されている間仕切パネル１であって、閉塞部材６，７は、パネル本体５に沿って内部に吸音材１２が配置され、上下の進退機構２８は、一方端部４１がチャンネル部１９，２０内面に接続され、他方端部４２が上下の閉塞部材６，７に接続されており、閉塞部材６，７の収納時及び延出時において、他方端部４２がチャンネル部１９，２０内の空間に位置する。【選択図】図７
2015090013.tif 000002
【特許請求の範囲】
【請求項１】
天井面に配設されたレールに沿って走行可能に吊支され、所定の厚みを有するパネル材を表裏に備えたパネル本体の上下端部に該パネル材によって囲われたチャンネル部が設けられ、該チャンネル部内に進退機構により天井面及び床面に向けて延出可能な閉塞部材がそれぞれ収納されている間仕切パネルであって、
前記閉塞部材は、前記パネル本体に沿って内部に吸音材が配置され、
前記上下の進退機構は、一方端部が前記チャンネル部内面に接続され、他方端部が前記上下の閉塞部材に接続されており、前記閉塞部材の収納時及び延出時において、前記他方端部が前記チャンネル部内の空間に位置することを特徴とする間仕切パネル。
【請求項２】
前記パネル材は、表面部材と、該表面部材の裏側に固定される防音効果もしくは吸音効果を有する裏当て材と、から主に構成されることを特徴とする請求項１に記載の間仕切パネル。
【請求項３】
前記パネル材の間及び前記チャンネル部内における進退機構の周辺に吸音材を配置したことを特徴とする請求項１または２に記載の間仕切パネル。
【請求項４】
前記閉塞部材は、天井面若しくは床面と当接する当接面に設けられた突出片により該突出片間に空間が形成され、該空間に前記閉塞部材内に設けられた吸音材が露出するようになっていることを特徴とする請求項１ないし３のいずれかに記載の間仕切パネル。
【請求項５】
前記閉塞部材の天井面若しくは床面と対向する面が、前記吸音材に連通する孔を複数個備える微細穿孔板であることを特徴とする請求項４に記載の間仕切パネル。
【発明の詳細な説明】
【技術分野】
【０００１】
本発明は、オフィスや大会場、会議室等を所定の区画に仕切って使用するための間仕切パネルに関する。
【背景技術】
【０００２】
オフィスや会議室・病院等の室内空間を用途に合わせて区画して分割して使用する場合に、天井面に固定されたレールに沿って移動可能に吊支される間仕切パネルが用いられており、パネル本体内部における上端及び下端に収納された上部塞ぎ部材及び下部塞ぎ部材をそれぞれパネル本体内部に設けられた進退機構により進出させて、天井面及び床面に当接させることでパネルの移動を規制するものがある（例えば特許文献１）。
【先行技術文献】
【特許文献】
【０００３】
【特許文献１】特開平２００９−１０８６６２号公報（第５頁、第６図）
【発明の概要】
【発明が解決しようとする課題】
【０００４】
上記特許文献１の間仕切パネルにあっては、パネル本体が前後に２枚のパネル体が存在し、かつパネル体内部に吸音材などが配置されているため、仕切られた区画間における音漏れは防止されている。しかしながら特許文献１の間仕切パネルは、上部塞ぎ部材及び下部塞ぎ部材を進退移動させる進退機構を、上部塞ぎ部材及び下部塞ぎ部材の内部に設置しているため、この進退機構が位置する空間には吸音材が充填されていない。そのため、延出状態の上部塞ぎ部材及び下部塞ぎ部材における進退機構配置位置の遮音能力が低下し、十分な遮音性を確保できないという問題がある。
【０００５】
本発明は、このような問題点に着目してなされたもので、仕切られた区画間における音漏れを確実に防止できるようにした間仕切パネルを提供することを目的とする。
【課題を解決するための手段】
【０００６】
前記課題を解決するために、本発明の間仕切パネルは、
天井面に配設されたレールに沿って走行可能に吊支され、所定の厚みを有するパネル材を表裏に備えたパネル本体の上下端部に該パネル材によって囲われたチャンネル部が設けられ、該チャンネル部内に進退機構により天井面及び床面に向けて延出可能な閉塞部材がそれぞれ収納されている間仕切パネルであって、
前記閉塞部材は、前記パネル本体に沿って内部に吸音材が配置され、
前記上下の進退機構は、一方端部が前記チャンネル部内面に接続され、他方端部が前記上下の閉塞部材に接続されており、前記閉塞部材の収納時及び延出時において、前記他方端部が前記チャンネル部内の空間に位置することを特徴としている。
この特徴によれば、上部塞ぎ部材及び下部塞ぎ部材が延出され間仕切パネルによって区画が形成された状態において、パネル本体は所定の厚みを有するパネル材を表裏に備えているため、この部分の遮音効果が高くなっている。そしてパネル本体より延出される閉塞部材は、パネル本体に沿って内部に吸音材が配置されていることから、上下縁の遮音が保たれるとともに、進退機構が位置する空間は、閉塞部材の収納時及び延出時において所定の厚みを有し遮音効果のあるパネル材により常時囲まれたチャンネル部内であるため、間仕切パネルにより仕切られた区画間における音漏れが、この間仕切パネル全体により確実に防止されることになる。
【０００７】
前記パネル材は、表面部材と、該表面部材の裏側に固定される防音効果もしくは吸音効果を有する裏当て材と、から主に構成されることを特徴としている。
この特徴によれば、進退機構が位置する空間が、閉塞部材の収納時及び延出時において防音効果もしくは吸音効果のある裏当て材を有するパネル材により囲まれることになり、その部分の音漏れを効果的に防止することができる。
【０００８】
前記パネル材の間及び前記チャンネル部内における進退機構の周辺に吸音材を配置したことを特徴としている。
この特徴によれば、パネル本体の音漏れを効果的に防止することができる。
【０００９】
前記閉塞部材は、天井面若しくは床面と当接する当接面に設けられた突出片により該突出片間に空間が形成され、該空間に前記閉塞部材内に設けられた吸音材が露出するようになっていることを特徴としている。
この特徴によれば、突出片間の空間に侵入した音が閉塞部材内の吸音材により吸音されることになり、間仕切パネルにより仕切られた区画間の音漏れを確実に減少させることができる。
【００１０】
前記閉塞部材の天井面若しくは床面と対向する面が、前記吸音材に連通する孔を複数個備える微細穿孔板であることを特徴としている。
この特徴によれば、突出片間の空間に侵入した音が吸音材に連通する孔を通じて万遍なく閉塞部材内の吸音材に吸音されることになり、間仕切パネルにより仕切られた区画間の音漏れを確実に減少させることができる。
【図面の簡単な説明】
【００１１】
【図１】実施例における間仕切パネルを示す正面破断図である。
【図２】間仕切パネルを示すＡ−Ａ断面図である。
【図３】パネル本体を示すＢ−Ｂ断面図である。
【図４】閉塞部材を示す分解斜視図である。
【図５】（ａ）は、閉塞部材収納時の進退機構を示す拡大部分正面図であり、（ｂ）は、閉塞部材延出時の進退機構を示す拡大部分正面図である。
【図６】固定状態の間仕切パネルを示す正面破断図である。
【図７】固定状態の間仕切パネルにおける閉塞部材の位置を示す正面破断図である。
【図８】突出片間の空間に音が侵入したときの態様を示す縦断側面図である。
【図９】閉塞部材の変形例を正面破断図である。
【発明を実施するための形態】
【００１２】
本発明に係る間仕切パネルを実施するための形態を実施例に基づいて以下に説明する。
【実施例】
【００１３】
実施例に係る間仕切パネルにつき、図１から図８を参照して説明する。図１及び図２に示される間仕切装置１，１，…は、オフィスや大会場、会議室等の室内空間を区画するものである。この間仕切装置１は、室内空間の天井面Ｒに架設されたレール４に吊支され、レール４によって形成される移動経路に沿って、順次間仕切位置に移動させられる間仕切パネル２により室内を仕切ることができるようになっている。尚、間仕切装置１の幅方向を左右方向とし、間仕切装置１を貫通する方向を前後方向とし、また間仕切装置１が室内空間に面する側を表側とし、間仕切装置１の内側を裏側または背面側として説明する。
【００１４】
図１及び図２に示されるように、間仕切パネル２は、パネル材５１，５１を表裏に有するパネル本体５を備えている。パネル本体５の内部上下端には、上部開口部材１９１と下部開口部材２０１が固定されている。そして、この上部開口部材１９１の底面部１９１ａとパネル材５１，５１とにより囲われて、後述する進退機構２８により天井面Ｒ及び床面Ｆに向けて延出可能な閉塞部材６が収納可能な空間である上部チャンネル部１９が構成されている。同様に、下部開口部材２０１の底面部２０１ａと前後両面のパネル材５１，５１とにより囲われて下部チャンネル部２０が構成されている。
【００１５】
図２に示されるように、上部開口部材１９１及び下部開口部材２０１は、側面部１９１ｂ，１９１ｂ及び側面部２０１ｂ，２０１ｂを有し、側面部１９１ｂ，１９１ｂ及び側面部２０１ｂ，２０１ｂに後述する突起片３６，３６が当接することにより閉塞部材６，７の上下方向の移動がガイドするようになっている。また、側面部１９１ｂ，１９１ｂ及び側面部２０１ｂ，２０１ｂの開口側の端縁１９１ｃ，１９１ｃ及び端縁２０１ｃ，２０１ｃは、内側に折り曲げられており、閉塞部材６，７が延出した際に前記突起片３６，３６が当接して閉塞部材６，７の抜出しを防止するようになっている。
【００１６】
図１及び図２に示されるように、パネル本体５は、垂直方向に延びる吊支部材２３，２３によりレール４に対して吊支されている。吊支部材２３，２３は、その下端が内部フレーム１５の両端部近傍に固定されており、パネル本体５の上端部よりも上方に突出した上端部には、２つのローラ２４，２４が水平方向に回転自在に軸支されている。このローラ２４，２４がレール４内部の上下２つの通路２５内にそれぞれ遊嵌されて、パネル本体５が移動経路に沿って移動可能に吊支されている。
【００１７】
図２に示されるように、パネル材５１は、スチール等の金属製の表面部材１０と、表面部材１０の裏側に所定の厚みを有して固定される裏当て材１１と、から主に構成されている。この裏当て材１１は、多孔質の部材である石膏ボードにより形成されており、吸音効果を有している。尚、この裏当て材１１は、石膏ボードに限られないが、吸音効果若しくは防音効果を有する部材であることが好ましい。
【００１８】
図３に示されるように、パネル本体５の左右端部には、パネル本体５の高さ方向に延び幅方向に突出する凸条部２１を有する金属製の側部フレーム１７と、凸条部２１に対応する凹条部２２を有する金属製の側部フレーム１８とが、それぞれ設けられており、左右方向に隣接する間仕切パネル２同士の接触部分における音漏れ及び光漏れの発生を防止している。
【００１９】
図２及び図３に示されるように、パネル本体５の内部には、前記した上部開口部材１９１の底面部１９１ａの下方、及び下部開口部材２０１の底面部２０１ａの上方に、左右に延びる内部フレーム１５，１６が設けられている。また、前記金属製の側部フレーム１７，１８の内側には、内部フレーム１５と内部フレーム１６とを左右両端で繋ぐように、パネル本体５の高さ方向に延びる内部フレーム１３，１４が設けられており、これら内部フレーム１３，１４，１５，１６と、パネル材５１，５１とにより囲まれた空間内にグラスウールやスポンジ状のウレタン等で形成された吸音材１２が充填されている。このようにパネル本体５は、その表裏に所定の厚みを有した裏当て材１１，１１を有していることに加え、パネル本体５内部の大部分に充填された吸音材１２により遮音効果が高くなっている。また、図１に示されるように、上部チャンネル部１９の下方、及び下部チャンネル部２０上方における各進退機構２８の周辺には、閉塞部材６，７が収容状態時における進退機構２８の高さ分、吸音材１２が充填されており、進退機構２８周辺の遮音性が高くなっている。
【００２０】
続いて、閉塞部材６，７について説明する。図４に示されるように、間仕切パネル２の上部に設けられた閉塞部材６は、断面視コ字形状の筐体３４と、上下方向に貫通する連通孔３５ａ，３５ａ，…が複数形成された微細穿孔板３５と、吸音材１２と、から主に構成されている。筐体３４の底部３４１の前後縁には、筐体３４の長手方向に連続する突起片３６，３６が外方向斜めに突起するように取り付けられている。この突起片３６，３６は、ゴムなどの弾性部材で形成されている。また、筐体３４内部には、吸音材１２が充填されている。この吸音材１２は、筐体３４の長手方向に分断されることなく連続している。
【００２１】
筐体３４の両側部３４２，３４２における筐体３４の開口部側の端部には、張出部３８，３８が設けられており、張出部３８，３８の上部には長手方向に沿って嵌合溝３８ａ，３８ａと、が形成されている。この嵌合溝３８ａ，３８ａには、ゴム等の弾性材であるパッキン３９が、外部にパッキン３９の頭部３９ａ（突出片）が露出するように嵌合しており、このパッキン３９の頭部３９ａは、天井面Ｒと面一であり、天井面Ｒを共に構成するレール４の下面４ａ（図８参照）に当接する緩衝材として機能する。
【００２２】
また、張出部３８，３８下方には筐体３４の両側部３４２，３４２の内側に突出する突部４０，４０が形成されており、張出部３８，３８の底面３８ｂ，３８ｂと突部４０，４０とで形成された溝部４０ａ，４０ａに微細穿孔板３５が嵌合されるようになっている。このように、筐体３４の開口部が微細穿孔板３５で閉塞されることになるため、微細穿孔板３５に複数穿設された連通孔３５ａ，３５ａ，…を介して筐体３４の内部に充填された吸音材１２が外部に露出することになる。尚、連通孔は、複数設けられることに限られず、１つであってもよく、また各連通孔の孔形状は、円形や楕円形のほかスリット形状であってもよい。
【００２３】
また、図４に示されるように、筐体３４の底部３４１には、長孔３４１ａ，３４１ａが長手方向に沿って形成されており、微細穿孔板３５には、長孔３４１ａ，３４１ａと略同一形状の長孔３５ｂ，３５ｂが形成されている。また、吸音材１２には、長孔３４１ａ，３４１ａと長孔３５ｂ，３５ｂとを上下方向に連通する貫通孔３７，３７が形成されている。図１及び図６に示されるように、組み立て時に長孔３４１ａ，３４１ａ、長孔３５ｂ，３５ｂ及び貫通孔３７，３７が上下に連通しており、これら長孔３４１ａ，３４１ａ、長孔３５ｂ，３５ｂ及び貫通孔３７，３７に吊支部材２３，２３が挿通された状態で、閉塞部材６が上部チャンネル部１９に内嵌されている。これら長孔３４１ａ，３４１ａ、長孔３５ｂ，３５ｂ及び貫通孔３７，３７は、間仕切パネル２の幅方向に長寸の孔形状であるため、後述のように閉塞部材６が回動しても、筐体３４、微細穿孔板３５及び筐体３４内の吸音材１２が吊支部材２３，２３に対して干渉しないようになっている。
【００２４】
また、間仕切パネル２の下部に設けられる閉塞部材７は、閉塞部材６と基本的に同一形状であるため、特に図示しないが、閉塞部材７側すなわち間仕切パネル２の下部には、吊支部材２３，２３が設けられていないため、閉塞部材７は上記した長孔３４１ａ，３４１ａ、長孔３５ｂ，３５ｂ及び貫通孔３７，３７の構成を有していない。
【００２５】
図５に示されるように、上部チャンネル部１９及び下部チャンネル部２０内には、閉塞部材６，７を進退させる進退機構２８，２８，…が配設されている。閉塞部材６用の進退機構２８と、閉塞部材７の進退機構２８とは、上下対称をなす同一構成及び同一寸法（同形の部材）の進退機構２８が用いられているため、ここでは閉塞部材６用の進退機構２８の説明を行う。
【００２６】
進退機構２８は、リンク部材２９と上方の端部材４１と下方の端部材４２と捻りコイルバネ３３とを備えて主に構成されている。上方の端部材４１は、閉塞部材６の筐体３４の底部３４１に固定されており、下方の端部材４２は、上部開口部材１９１の底面部１９１ａに固定されている。リンク部材２９の一方側には、リンク部材２９の長手方向を向く長孔３１が穿設されており、この長孔３１に、下方の端部材４２に設けたピン３２が遊嵌している。また、リンク部材２９の他端は上方の端部材４１に軸３０により枢着されている。上方の端部材４１には、軸部５０が設けられており、この軸部５０とピン３２とに、互いを離間させるように付勢する付勢手段としての捻りコイルバネ３３が張架されている。
【００２７】
図１及び図５（ａ）に示されるように、進退機構２８における閉塞部材６の収納時には、
捻りコイルバネ３３が軸部５０とピン３２とを互いに離間させるように付勢するため、閉塞部材６がパネル本体５に対し左右方向に移動しながら、閉塞部材６が上部チャンネル部１９内に収納されることになる。
【００２８】
閉塞部材６の左端が先行する間仕切パネル２と当接して、図５（ａ）の状態から画面右方側に移動されると、図５（ｂ）に示されるように、リンク部材２９は、捻りコイルバネ３３の付勢力に抗して回動しながら立ち上がるようになるため、閉塞部材６を押し上げるように作用する。尚、図示しないが、下部の閉塞部材７の左端が先行する間仕切パネル２と当接して移動されると、閉塞部材６用の進退機構２８と同様にリンク部材２９が立ち上がり、閉塞部材７を押し下げるように作用する。
【００２９】
進退機構２８，２８，…により閉塞部材６が押し上げられ、且つ閉塞部材７が押し下げられると、図５（ａ）及び図６に示されるように、捻りコイルバネ３３の付勢力により閉塞部材６の上端に位置するパッキン３９の頭部３９ａが天井面Ｒに圧接されるとともに、閉塞部材７の下端に位置するパッキン３９の頭部３９ａが床面Ｆに圧接される。閉塞部材６及び閉塞部材７が天井面Ｒ及び床面Ｆに当接し、これらの延出が停止した以降は、ピン３２が長孔３１内を相対的に移動することにより軸部５０がピン３２の直上を通過する、すなわち死点を越えるまでリンク部材２９が回動するようになる。
【００３０】
図７に示されるように、閉塞部材６の上縁６ａと、進退機構２８における上方の端部材４１及び閉塞部材６との固定位置と、の距離αが、パネル材５１における裏当て材１１の上縁１１ａと天井面Ｒとの距離βよりも大きくなるように設計されている。そのため、閉塞部材６の延出時において、進退機構２８における上方の端部材４１すなわち進退機構２８の上端が裏当て材１１，１１で囲まれた上部チャンネル部１９内に位置することになり、パネル本体５からは、吸音材１２が充填されている閉塞部材６の一部のみが延出することになる。
【００３１】
このように、各進退機構２８，２８，…は、閉塞部材６及び７の延出時及び収納時において、所定の厚みを有した裏当て材１１，１１との間に位置する上部チャンネル部１９及び下部チャンネル部２０内に常に位置することになるため、吸音材１２が充填されない進退機構２８周辺においても遮音性が高い。
【００３２】
上述のように、各進退機構２８は、常に、間仕切パネル２における遮音性の高い上部チャンネル部１９及び下部チャンネル部２０内に配置されていることに加え、閉塞部材６及び閉塞部材７の突出部分は、筐体３４の長手方向に沿って連続して充填された吸音材１２により、遮音効果が高くなっているため、その突出部分とパネル本体５とにより確実に遮音できる。換言すれば、間仕切パネル２により仕切られた区画間の音漏を、間仕切パネル２全体により確実に防止することができる。
【００３３】
また、図８に示されるように、閉塞部材６及び閉塞部材７が延出した状態において、前後のパッキン３９，３９の頭部３９ａ，３９ａを透過するなどして前後のパッキン３９，３９の頭部３９ａ，３９ａの間の空間４３に侵入した音の一部は、微細穿孔板３５の連通孔３５ａ，３５ａ，…を介して吸音材１２に吸音されるため、音量を確実に減少させることができる。更に、空間４３に侵入した音は、連通孔３５ａ，３５ａ，…を通じて筐体３４に沿って連続した吸音材１２に万遍なく到達するため、吸音材１２が空間４３に侵入した音を確実に吸音して音漏れを確実に減少させることができる。
【００３４】
また、進退機構２８，２８，…は、閉塞部材６，７の左端が先行する間仕切パネル２と当接することにより、閉塞部材６，７が延出するように作動するようになっているため、例えば、外部から操作して進退機構２８，２８，…を作動させる特段の作動手段等を設ける必要がなく、進退機構２８，２８，…の作動にかかるスペースがコンパクトになっている。そのため、上部チャンネル部１９及び下部チャンネル部２０内における進退機構２８，２８，…の周辺により大きい範囲で吸音材１２を充填することができるため、進退機構２８周辺の遮音性能を向上させることができる。
【００３５】
尚、進退機構２８は、その一方の端部材４１が閉塞部材６，７における筐体３４の底部３４１に固定される態様に限定されない。例えば図９に示されるように、閉塞部材６１は、その筐体３４’の側部３４２，３４２同士が、前記底部の代わりに側部３４２，３４２の中央部分に配置された架設体４４，４４により連結されており、これら架設体４４に進退機構２８における上方の端部材４１が固定されている。
【００３６】
このような場合であっても、閉塞部材６の上縁６ａと架設体４４，４４との距離（すなわち閉塞部材６の上縁６ａと、進退機構２８における上方の端部材４１及び閉塞部材６の固定位置と、の距離α）が、パネル材５１における裏当て材１１の上縁１１ａと天井面Ｒとの距離βよりも大きくなるように設計されているため、閉塞部材６の延出時において、進退機構２８における上方の端部材４１すなわち進退機構２８の上端が裏当て材１１，１１で囲まれた上部チャンネル部１９内に位置することになるとともに、パネル本体５からは、吸音材１２が充填されている閉塞部材６の一部のみが延出することになる。
【００３７】
以上、本発明の実施例を図面により説明してきたが、具体的な構成はこれら実施例に限られるものではなく、本発明の要旨を逸脱しない範囲における変更や追加があっても本発明に含まれる。
【００３８】
例えば、前記実施例では、筐体３４の内部に充填された吸音材１２は、微細穿孔板３５の連通孔３５ａ，３５ａ，…を介して外部に露出するようになっていたが、これに限られず、例えば、微細穿孔板を特段に設けず、吸音材１２が筐体３４の開口に亘り外部に露出されるようにしてもよい。
【００３９】
また、前記実施例では、各進退機構２８の下方の端部材４２，４２は、上部開口部材１９１の底面部１９１ａ及び下部開口部材２０１の底面部２０１ａに対して固定されていたが、その固定箇所はチャンネル部内であれば、この態様に限定されず、例えば、各進退機構２８の下方の端部材４２，４２が上部開口部材１９１及び下部開口部材２０１の側面部１９１ｂ及び側面部２０１ｂに固定されてもよい。
【００４０】
また、閉塞部材６の延出時において、進退機構２８の上端が裏当て材１１，１１で囲まれた上部チャンネル部１９内に位置することになる態様について説明したが、例えば、パネル材が高い遮音効果を発揮できる十分な厚みを有し、そのパネル材の内側に進退機構の上端が配置されていれば、必ずしも進退機構の上端が、チャンネル部内における裏当て材の内側に配置されることに限らない。
【００４１】
また、前記実施例では、進退機構２８を上部チャンネル部１９及び下部チャンネル部２０内にそれぞれ２つずつ設ける態様を想定して説明したが、これに限らず、進退機構２８は、閉塞部材６，７の水平状態を保ったまま延出させることが可能であれば、上部チャンネル部１９及び下部チャンネル部２０内に配置される数が１つずつでもよいし、３つずつ以上複数設けられてもよい。
【００４２】
また、前後両面の裏当て材１１，１１の間に吸音材１２を充填していたが、これに限られず、例えば、裏当て材をハニカム構造とし、そのハニカム構造内に吸音材を充填してもよい。これにより、遮音性を有しながらもパネル材を軽量化することができる。
【００４３】
また、上部側の閉塞部材６及び下部側の閉塞部材７は、同一寸法であったが、これに限らず、異なる形状に設計されてもよい。
【符号の説明】
【００４４】
１                間仕切装置
２                間仕切パネル
５                パネル本体
６，７            閉塞部材
６ａ              閉塞部材上縁
１０              表面部材
１１              裏当て材
１１ａ            裏当て材上縁
１２              吸音材
１９              上部チャンネル部
２０              下部チャンネル部
２８              進退機構
３４，３４’      筐体
３５              微細穿孔板
３５ａ            連通孔
３９ａ            パッキン頭部（突出片）
４１，４２        端部材
４３              パッキン頭部の間の空間
４４              架設体
５１              パネル材
６１              閉塞部材
Ｆ                床面
Ｒ                天井面
α                距離
β                距離
【図１】
2015090013.tif 000003
【図２】
2015090013.tif 000004
【図３】
2015090013.tif 000005
【図４】
2015090013.tif 000006
【図５】
2015090013.tif 000007
【図６】
2015090013.tif 000008
【図７】
2015090013.tif 000009
【図８】
2015090013.tif 000010
【図９】
2015090013.tif 000011